(57)【特許請求の範囲】
【請求項１】
第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、
前記筐体に回転軸を中心に回転可能に取り付けられる回転ダイヤル部と、
前記筐体に前記開状態及び前記閉状態の双方の状態において外部から視認可能な位置に設けられ、前記回転ダイヤル部の回転位置に対する目印となる目印部と、
前記回転ダイヤル部の回転位置に基づいて、複数のアプリケーションのうち一のアプリケーションを起動可能な状態にする制御部と、を備え、
前記第１筐体片は、前記第１面に配置される操作部を有し、
前記第２筐体片は、前記第２面に配置される第１表示部を有し、かつ、前記第２面と反対側に配置される第２表示部を有し、
前記制御部は、
前記開状態において、前記回転ダイヤル部における回転位置に基づいて起動された一のアプリケーションに対応した画像を前記第１表示部に表示させ、
前記閉状態において、前記開状態の場合に比べて制限されたアプリケーションのうち起動可能なアプリケーションに対応した画像を前記第２表示部に表示させる携帯電子機器。
【請求項２】
前記回転ダイヤル部における回転位置を検出する回転検出部と、を備え、
前記制御部は、前記回転検出部により検出された前記回転ダイヤル部における回転位置に基づいて、複数のアプリケーションのうち一のアプリケーションを起動させる請求項１に記載の携帯電子機器。
【請求項３】
前記回転ダイヤル部は、前記回転軸が前記ヒンジ機構における前記開閉軸と同軸になるよう前記筐体に取り付けられ、
前記ヒンジ機構は、前記第１筐体片及び／又は前記第２筐体片の一部を構成する連結部に収容され、
前記連結部は、前記筐体が前記開状態及び前記閉状態の双方において外部に露出される露出部を有し、
前記目印部は、前記露出部に形成される請求項１又は２に記載の携帯電子機器。
【請求項４】
前記露出部は、前記第１筐体片に形成され、
前記回転ダイヤル部は、前記第１筐体片における露出部に隣接する位置に取り付けられる請求項３に記載の携帯電子機器。
【請求項５】
前記回転ダイヤル部は、前記回転軸が前記ヒンジ機構における前記開閉軸と同軸になるよう前記筐体に取り付けられ、
前記ヒンジ機構は、前記第１筐体片及び／又は前記第２筐体片の一部を構成する連結部に収容され、
前記連結部は、前記開状態において露出される第１露出部と、前記閉状態において露出される第２露出部と、を有し、
前記目印部は、前記第１露出部に形成される第１目印部と、前記第２露出部に形成される第２目印部と、を有する請求項１又は２に記載の携帯電子機器。
【請求項６】
前記第１露出部及び第２露出部は、前記第２筐体片に形成され、
前記回転ダイヤル部は、前記第１筐体片であって該第１筐体片の所定部分を挟んで第１露出部及び第２露出部と対向する位置に取り付けられる請求項５に記載の携帯電子機器。
【請求項７】
前記閉状態において、前記回転ダイヤル部は、前記制限されたアプリケーションを起動する回転位置への回転が制限される請求項１に記載の携帯電子機器。
【請求項８】
表示部と、
前記表示部が固定され開閉可能に連結される筐体と、
前記筐体に回転自在に取り付けられる回転ダイヤル部と、
前記回転ダイヤル部における回転位置を検出する回転検出部と、
複数のアプリケーションのうちいずれかを選択的に起動可能な制御部と、を備え、
前記回転ダイヤル部は、表面に複数の指標が設けられると共に、前記筐体の開状態でも閉状態でも露出する位置に回転可能に取り付けられており、
前記筐体は、前記開状態でも前記閉状態でも露出する位置に前記複数の指標のいずれかを指し示す目印が配され、
前記制御部は、前記回転検出部により前記回転位置が検出されると、前記複数の指標のうち、前記目印により指し示される指標に対応する所定のアプリケーションを起動し、
前記開状態において、前記回転ダイヤル部における回転位置に基づいて起動された一のアプリケーションに対応した画像を第１表示部に表示させ、
前記閉状態において、前記開状態の場合に比べて制限されたアプリケーションのうち起動可能なアプリケーションに対応した画像を、前記第１表示部が形成されている面とは反対側に配置される第２表示部に表示させる携帯電子機器。
【請求項９】
第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、
前記筐体に回転軸を中心に回転可能に取り付けられる回転ダイヤル部と、
前記筐体に前記開状態及び前記閉状態の双方の状態において外部から視認可能な位置に設けられ、前記回転ダイヤル部の回転位置に対する目印となる目印部と、
前記回転ダイヤル部の回転位置に基づいて、複数のアプリケーションのうち一のアプリケーションを起動可能な状態にする制御部と、を備え、
前記回転ダイヤル部は、前記回転軸が前記ヒンジ機構における前記開閉軸と同軸になるよう前記筐体に取り付けられ、
前記ヒンジ機構は、前記第１筐体片の端部及び前記第２筐体片の端部を連結する連結部に収容され、
前記第２筐体片の端部は、前記開状態において露出される第１露出部と、前記閉状態において露出される第２露出部と、を有し、
前記目印部は、前記第１露出部に形成される第１目印部と、前記第２露出部に形成される第２目印部と、を有する携帯電子機器。
【請求項１０】
表示部と、
前記表示部が固定され開閉可能に連結される筐体と、
前記筐体に回転自在に取り付けられる回転ダイヤル部と、
前記回転ダイヤル部における回転位置を検出する回転検出部と、
複数のアプリケーションのうちいずれかを選択的に起動可能な制御部と、を備え、
前記回転ダイヤル部は、表面に複数の指標が設けられると共に、前記筐体の開状態でも閉状態でも露出する位置に回転可能に取り付けられており、
前記筐体は、前記開状態でも前記閉状態でも露出する位置に前記複数の指標のいずれかを指し示す目印が配され、
前記制御部は、前記回転検出部により前記回転位置が検出されると、前記複数の指標のうち、前記目印により指し示される指標に対応する所定のアプリケーションを起動し、
前記筐体は、操作部を有する第１筐体片と、前記表示部を有する第２筐体片から構成され、
前記目印は、前記第１筐体片と連結される前記第２筐体片の端部であって、前記開状態において露出される部分と、前記閉状態において露出される部分にそれぞれ形成されている携帯電子機器。
【請求項１１】
第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、
前記筐体に回転軸を中心に回転可能に取り付けられる回転ダイヤル部と、
前記筐体に前記開状態及び前記閉状態の双方の状態において外部から視認可能な位置に設けられ、前記回転ダイヤル部の回転位置に対する目印となる目印部と、
前記回転ダイヤル部の回転位置に基づいて、複数のアプリケーションのうち一のアプリケーションを起動可能な状態にする制御部と、を備え、
前記回転ダイヤル部は、前記回転軸が前記ヒンジ機構における前記開閉軸と同軸になるよう前記筐体に取り付けられ、
前記ヒンジ機構は、前記第１筐体片の端部及び前記第２筐体片の端部を連結する連結部に収容され、
前記第１筐体片の端部は、前記開状態においても前記閉状態においても露出される露出部を有し、
前記目印部は、前記露出部に形成される携帯電子機器。
【請求項１２】
表示部と、
前記表示部が固定され開閉可能に連結される筐体と、
前記筐体に回転自在に取り付けられる回転ダイヤル部と、
前記回転ダイヤル部における回転位置を検出する回転検出部と、
複数のアプリケーションのうちいずれかを選択的に起動可能な制御部と、を備え、
前記回転ダイヤル部は、表面に複数の指標が設けられると共に、前記筐体の開状態でも閉状態でも露出する位置に回転可能に取り付けられており、
前記筐体は、前記開状態でも前記閉状態でも露出する位置に前記複数の指標のいずれかを指し示す目印が配され、
前記制御部は、前記回転検出部により前記回転位置が検出されると、前記複数の指標のうち、前記目印により指し示される指標に対応する所定のアプリケーションを起動し、
前記筐体は、操作部を有する第１筐体片と、前記表示部を有する第２筐体片から構成され、
前記目印は、前記第２筐体片と連結される前記第１筐体片の端部であって、前記開状態においても前記閉状態においても露出される部分に形成されている携帯電子機器。
【発明の詳細な説明】
【技術分野】
【０００１】
本発明は、回転ダイヤルを有する携帯電子機器に関する。
【背景技術】
【０００２】
携帯電子機器としての携帯電話機において、より直感的なユーザインターフェースが要求されている。ここで、ヒンジ部を有するフォルダタイプの携帯電話機において、ヒンジ部にボリューム切り替え等に用いる回転ダイヤルを設けた携帯電話機が知られている（例えば、特許文献１を参照。）。
【０００３】
近年、携帯電話機は、通信・通話機能のみならずテレビやラジオを視聴する機能も搭載され多機能化されている。
ここで、携帯電話機において、テレビ視聴機能等の機能が選択されていない場合には、通信・通話の待受画面がトップ画面として表示される。
そして、ユーザが所定の操作を行うことにより、待受画面から他の機能を選択するメニュー選択画面に移行すると共に、当該選択メニュー画面においてユーザが所定の機能を選択することで所望の機能を起動させることができる。
【０００４】
しかし、メニュー選択画面には、多数の機能が列記されるため不慣れなユーザにとってはスムースな操作が困難であり、携帯電話機自体の使用について抵抗を感じる場合があった。
【０００５】
ところで、デジタルカメラにおいては、回転ダイヤルによってメニュー選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献２を参照。）。
【特許文献１】特開平６−９０２００号公報
【特許文献２】特開２００１−２４５１８９号公報
【発明の開示】
【発明が解決しようとする課題】
【０００６】
現在、携帯電話機においては、デジタルカメラに用いられているような回転ダイヤルによる複数メニューの選択方式は採用されていない。
また、携帯電話機には、デジタルカメラにはない特有の機能（通信・通話機能）が含まれており、トップ画面としての通信・通話の待受画面が表示されるという相違点がある。
【０００８】
本発明は、回転ダイヤル部を備えることにより、直感的な操作が可能な携帯電子機器を提供することを目的とする。
【課題を解決するための手段】
【０００９】
本発明は、第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、前記筐体に回転軸を中心に回転可能に取り付けられる回転ダイヤル部と、前記筐体に前記開状態及び前記閉状態の双方の状態において外部から視認可能な位置に設けられ、前記回転ダイヤル部の回転位置に対する目印となる目印部と、前記回転ダイヤル部の回転位置に基づいて、複数のアプリケーションのうち一のアプリケーションを起動可能な状態にする制御部と、を備え、前記第１筐体片は、前記第１面に配置される操作部を有し、前記第２筐体片は、前記第２面に配置される第１表示部を有し、かつ、前記第２面と反対側に配置される第２表示部を有し、前記制御部は、前記開状態において、前記回転ダイヤル部における回転位置に基づいて起動された一のアプリケーションに対応した画像を前記第１表示部に表示させ、前記閉状態において、前記起動された一のアプリケーションに対応した画像を前記第２表示部に表示させ、かつ、前記開状態の場合に比べて起動可能なアプリケーションを制限する携帯電子機器に関する。
【００１０】
また、前記回転ダイヤル部における回転量を検出する回転量検出部と、を備え、前記制御部は、前記回転量検出部により検出された前記回転ダイヤル部における回転量に基づいて、複数のアプリケーションのうち一のアプリケーションを起動させることが好ましい。
【００１１】
また、前記回転ダイヤル部は、前記回転軸が前記ヒンジ機構における前記開閉軸と同軸になるよう前記筐体に取り付けられ、前記ヒンジ機構は、前記第１筐体片及び／又は前記第２筐体片の一部を構成する連結部に収容され、前記連結部は、前記筐体が開状態及び閉状態の双方において外部に露出される露出部を有し、前記目印部は、前記露出部に形成されることが好ましい。
【００１２】
また、前記露出部は、前記第１筐体片に形成され、前記回転ダイヤル部は、前記第１筐体片における露出部に隣接する位置に取り付けられることが好ましい。
【００１３】
また、前記回転ダイヤル部は、前記回転軸が前記ヒンジ機構における前記開閉軸と同軸になるよう前記筐体に取り付けられ、前記ヒンジ機構は、前記第１筐体片及び／又は前記第２筐体片の一部を構成する連結部に収容され、前記連結部は、前記開状態において露出される第１露出部と、前記閉状態において露出される第２露出部と、を有し、前記目印部は、前記第１露出部に形成される第１目印部と、前記第２露出部に形成される第２目印部と、を有することが好ましい。
【００１４】
また、前記第１露出部及び第２露出部は、前記第２筐体片に形成され、前記回転ダイヤル部は、前記第１筐体片であって該第１筐体片の所定部分を挟んで第１露出部及び第２露出部と対向する位置に取り付けられることが好ましい。
【００１５】
また、前記閉状態において、前記回転ダイヤル部は、前記制限されたアプリケーションを起動する回転位置への回転が制限されることが好ましい。
【００１６】
また、本発明は、表示部と、前記表示部が固定され開閉可能に連結される筐体と、前記筐体に回転自在に取り付けられる回転ダイヤル部と、前記回転ダイヤル部における回転位置を検出する回転検出部と、複数のアプリケーションのうちいずれかを選択的に起動可能な制御部と、を備え、前記回転ダイヤル部は、表面に複数の指標が設けられると共に、前記筐体の開状態でも閉状態でも露出する位置に回転可能に取り付けられており、前記筐体は、前記開状態でも前記閉状態でも露出する位置に前記複数の指標のいずれかを指し示す目印が配され、前記制御部は、前記回転検出部により前記回転位置が検出されると、前記複数の指標のうち、前記目印により指し示される指標に対応する所定のアプリケーションを起動し、前記開状態において、前記回転ダイヤル部における回転位置に基づいて起動された一のアプリケーションに対応した画像を第１表示部に表示させ、前記閉状態において、前記起動された一のアプリケーションに対応した画像を前記第１表示部が形成されている面とは反対側に配置される第２表示部に表示させ、かつ、前記開状態の場合に比べて起動可能なアプリケーションを制限する携帯電子機器に関する。
【００１７】
また、本発明は、第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、前記筐体に回転軸を中心に回転可能に取り付けられる回転ダイヤル部と、前記筐体に前記開状態及び前記閉状態の双方の状態において外部から視認可能な位置に設けられ、前記回転ダイヤル部の回転位置に対する目印となる目印部と、前記回転ダイヤル部の回転位置に基づいて、複数のアプリケーションのうち一のアプリケーションを起動可能な状態にする制御部と、を備え、前記回転ダイヤル部は、前記回転軸が前記ヒンジ機構における前記開閉軸と同軸になるよう前記筐体に取り付けられ、前記ヒンジ機構は、前記第１筐体片の先端部及び前記第２筐体片の下端部を連結する連結部に収容され、前記第２筐体片の下端部は、前記開状態において露出される第１露出部と、前記閉状態において露出される第２露出部と、を有し、前記目印部は、前記第１露出部に形成される第１目印部と、前記第２露出部に形成される第２目印部と、を有する携帯電子機器に関する。
【００１８】
また、本発明は、表示部と、前記表示部が固定され開閉可能に連結される筐体と、前記筐体に回転自在に取り付けられる回転ダイヤル部と、前記回転ダイヤル部における回転位置を検出する回転検出部と、複数のアプリケーションのうちいずれかを選択的に起動可能な制御部と、を備え、前記回転ダイヤル部は、表面に複数の指標が設けられると共に、前記筐体の開状態でも閉状態でも露出する位置に回転可能に取り付けられており、前記筐体は、前記開状態でも前記閉状態でも露出する位置に前記複数の指標のいずれかを指し示す目印が配され、前記制御部は、前記回転検出部により前記回転位置が検出されると、前記複数の指標のうち、前記目印により指し示される指標に対応する所定のアプリケーションを起動し、前記筐体は、操作部を有する第１筐体片と、前記表示部を有する第２筐体片から構成され、前記目印は、前記第１筐体片と連結される前記第２筐体片の端部であって、前記開状態において露出される部分と、前記閉状態において露出される部分にそれぞれ形成されている携帯電子機器に関する。
【００１９】
また、本発明は、第１面を有する第１筐体片と、第２面を有する第２筐体片と、前記第１面と前記第２面とが対向するように近接して配置される閉状態と前記第１面と前記第２面とが互いに離間して配置される開状態とに前記第１筐体片と前記第２筐体片とを開閉軸を中心に開閉可能に連結するヒンジ機構と、を有する筐体と、前記筐体に回転軸を中心に回転可能に取り付けられる回転ダイヤル部と、前記筐体に前記開状態及び前記閉状態の双方の状態において外部から視認可能な位置に設けられ、前記回転ダイヤル部の回転位置に対する目印となる目印部と、前記回転ダイヤル部の回転位置に基づいて、複数のアプリケーションのうち一のアプリケーションを起動可能な状態にする制御部と、を備え、前記回転ダイヤル部は、前記回転軸が前記ヒンジ機構における前記開閉軸と同軸になるよう前記筐体に取り付けられ、前記ヒンジ機構は、前記第１筐体片の先端部及び前記第２筐体片の下端部を連結する連結部に収容され、前記第１筐体片の先端部は、前記開状態においても前記閉状態においても露出される露出部を有し、前記目印部は、前記露出部に形成される携帯電子機器に関する。
また、本発明は、表示部と、前記表示部が固定され開閉可能に連結される筐体と、前記筐体に回転自在に取り付けられる回転ダイヤル部と、前記回転ダイヤル部における回転位置を検出する回転検出部と、複数のアプリケーションのうちいずれかを選択的に起動可能な制御部と、を備え、前記回転ダイヤル部は、表面に複数の指標が設けられると共に、前記筐体の開状態でも閉状態でも露出する位置に回転可能に取り付けられており、前記筐体は、前記開状態でも前記閉状態でも露出する位置に前記複数の指標のいずれかを指し示す目印が配され、前記制御部は、前記回転検出部により前記回転位置が検出されると、前記複数の指標のうち、前記目印により指し示される指標に対応する所定のアプリケーションを起動し、前記筐体は、操作部を有する第１筐体片と、前記表示部を有する第２筐体片から構成され、前記目印は、前記第２筐体片と連結される前記第１筐体片の端部であって、前記開状態においても前記閉状態においても露出される部分に形成されている携帯電子機器に関する。
【発明の効果】
【００２０】
本発明は、回転ダイヤル部を備えることにより、直感的な操作が可能な携帯電話機を提供することを目的とする。
【発明を実施するための最良の形態】
【００２１】
以下、本発明の実施の形態について説明する。まず、図１から図７により、携帯電話機１における構成について説明する。図１は、本発明に係る携帯電話機の一例である携帯電話機１の外観図を示す。また、図２は、携帯電話機１の閉状態における表示部側筐体３から見たときの外観図を示す。また、図３は、携帯電話機１の閉状態における操作部側筐体２から見たときの外観図を示す。また、図４は、回転ダイヤル部付近の拡大図を示す。また、図５は、回転ダイヤル部の機能を示す図である。図６は、回転ダイヤル部における裏面４１Ｃから見た平面図である。図７は、回転ダイヤル部４１に形成された位置ポイント４３とカウント部４４との関係を説明する図である。
【００２２】
携帯電話機１は、図１に示すように、第１面としての第１表面部１０を有する第１筐体片としての操作部側筐体２と、第２面としての第２表面部２０を有する第２筐体片としての表示部側筐体３と、を備える。操作部側筐体２の上端部と表示部側筐体３の下端部とは、連結部４に配置され開閉軸を中心に開閉可能なヒンジ機構４Ａを介して連結される。
【００２３】
携帯電話機１は、ヒンジ機構４Ａを介して連結された操作部側筐体２と表示部側筐体３とを相対的に回転することにより、操作部側筐体２における第１表面部１０と表示部側筐体３における第２表面部２０とが互いに離間した開状態と、操作部側筐体２における第１表面部１０と操作部側筐体２における第２表面部２０とが互いに対向して近接配置された閉状態とに開閉軸を中心に開閉可能に構成される。携帯電話機１における開閉状態は、操作部側筐体２に配置される不図示の磁石と、操作部側筐体２に配置される不図示のホール素子とにより構成される開閉センサ３００（図８参照）により検出される。
また、携帯電話機１は、ヒンジ機構４Ａと略同軸に設定された回転軸Ｚを中心に回転可能に取り付けられた回転ダイヤル部４１が配置される。
【００２４】
連結部４は、操作部側筐体２の一部と、表示部側筐体３の一部とにより構成される。連結部４を構成する操作部側筐体２の一部は、図１及び図２に示すように、開状態及び閉状態の双方において外部に露出する露出部１２０を有する。露出部１２０には、後述する回転ダイヤル部４１の回転量に対する目印となる目印４２が形成される。目印部としての目印４２は、回転ダイヤル部４１の回転量に対する目印となる。
【００２５】
操作部側筐体２は、第１表面部１０Ａと第１裏面部１０Ｂとを有する。操作部側筐体２における第１表面部１０Ａには、図１に示すように、閉状態にて隠れる操作部１１と、使用者が通話時に発した音声が入力されるマイク１２とが配置される。操作部側筐体２における第１裏面部１０Ｂには、図３に示すように、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とが形成される。
【００２６】
操作部１１は、各種設定や電話帳機能やメール機能等の各種機能（アプリケーション）を動作させるためのキー、オフフックキーや、オンフックキーを含む機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成される。
ここで、携帯電話機１には、所定の機能（アプリケーション）を選択する操作部材として上述の機能設定操作ボタン１３のほか、後に詳述する回転ダイヤル部４１が配置される。
【００２７】
また、操作部側筐体２は、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、充電池８０と、後述する回転ダイヤル部４１における回転量を検出するために用いられるカウント部４４（図７参照）と、を収容する。
【００２８】
表示部側筐体３における第２表面部２０には、各種情報を表示するための第１表示部としてのディスプレイ２１と、通話の相手側の音声を出力する音声出力部２２と、が配置される。
【００２９】
ディスプレイ２１は、トップ画面として通信・通話待受画像を表示する。また、ディスプレイ２１は、機能の内容を示す画像を含むメニュー画像Ｍ（図１１参照）が表示可能に構成される。詳細には、ディスプレイ２１には、後述するタッチセンサ２００（図８参照）が回転ダイヤル部４１に指等の導電体が接触したことを検出した場合、メニュー画像Ｍが表示される。
【００３０】
メニュー画像Ｍは、目印４２の横に並ぶ選択位置Ｓに配置された後述のアイコンＩに対応する機能（アプリケーション）の内容を示す画像（文字を含む）を含んで構成される。メニュー画像Ｍは、開状態において操作部１１及びディスプレイ２１側から見た回転ダイヤル部４１における機能表示部４１Ｂの表示態様と類似して構成される。本実施形態においては、メニュー画像Ｍは、アプリケーションに対応する機能の名称（略称）を含んで構成される。メニュー画像Ｍは、機能表示部４１ＢにおけるアイコンＩと同様（例えば、相似）の画像を含んで構成されていてもよい。また、ディスプレイ２１は、所定の機能を動作させるためのアプリケーションに基づく画像を表示可能に構成される。なお、ディスプレイ２１は、閉状態において隠れる位置に配されている。
【００３１】
ここで、カメラ機能を動作させるアプリケーションが起動している場合、ディスプレイ２１には、撮像部１７により撮像される画像が表示可能に構成される。メール機能を動作させるアプリケーションが起動されている場合、ディスプレイ２１には、受信された電子メールの一覧やメール作成画面が表示可能に構成される。カレンダー機能を動作させるアプリケーションが起動されている場合、ディスプレイ２１には、各月のカレンダー画面やスケジュール画面が表示可能に構成される。ツール機能を動作させるアプリケーションが起動されている場合、ディスプレイ２１には、複数のツール機能を示すアイコンが表示可能に構成される。テレビ機能を動作させるアプリケーションが起動されている場合、ディスプレイ２１には、受信した放送信号のうち選択されたチャンネルに対応する放送信号に基づいた映像を表示可能に構成される。メモ帳機能を動作させるアプリケーションが起動されている場合、ディスプレイ２１には、文字入力が可能な入力画面が表示可能に構成される。アドレス帳機能を動作させるアプリケーションが起動されている場合、ディスプレイ２１には、不図示のメモリに記憶される複数のアドレス情報が表示可能に構成される。これらのアプリケーションは、オンフックキー（終話キー）の押下で終了することが可能である。
【００３２】
上述のアプリケーションが終了された場合、ディスプレイ２１は、トップ画面としての通信・通話の待受画面を表示する。そして、後述する制御部７４は、電話機能を使用可能なアプリケーションを動作させている。そして、操作部１１は、数字を入力する機能が割り当てられた入力操作ボタン１４が押下されることで発呼すべき電話番号の入力を受け付ける。
【００３３】
表示部側筐体３における第２裏面２０Ｂ（第２表面２０Ａと反対側の面）には、図２に示すように、各種情報を表示するためのサブディスプレイ２３が閉状態であっても外部に露出する位置に配置される。
【００３４】
サブディスプレイ２３は、ディスプレイ２１と同様に上述の各種機能を動作させるアプリケーションに基づく画像が表示される。具体的には、開状態の場合にはディスプレイ２１にアプリケーションに基づく画像が表示され、閉状態の場合にはサブディスプレイ２３にアプリケーションに基づく画像が表示される。
【００３５】
サブディスプレイ２３は、ディスプレイ２１に比べて画面が小さいので、ディスプレイ２１に表示される画像の一部や、相似（小さくした）画像が表示される。また、サブディスプレイ２３には、各種機能のうち携帯電話機１が閉状態の場合では起動されない機能を動作させるアプリケーションに基づく画像は表示されないように構成される。
【００３６】
ここで、ディスプレイ２１及びサブディスプレイ２３それぞれは、液晶パネルと、液晶パネルを駆動する駆動回路と、液晶パネルの背面側から光を照射するバックライト等の光源部とを有して構成される。
【００３７】
回転ダイヤル部４１は、回転軸Ｚを中心として回転可能に配置される。具体的には、回転ダイヤル部４１は、筐体の一部である連結部４における幅方向Ｘにヒンジ機構４Ａと略同軸の回転軸Ｚを中心として回転可能に取り付けられる。回転ダイヤル部４１は、図１に示すように、携帯電話機１が開状態において、操作部１１及びディスプレイ２１を見ながら回転操作が可能に配置される。また、回転ダイヤル部４１は、図２に示すように、携帯電話機１が閉状態において、サブディスプレイ２３を見ながら回転操作が可能に配置される。
【００３８】
回転ダイヤル部４１は、当接部４１Ａと、機能表示部４１Ｂとを備える。
当接部４１Ａは、回転ダイヤル部４１における側面であって、該回転ダイヤル部４１が取り付けられた状態で幅方向Ｘにおける端部側に配置される部分に形成される。当接部４１Ａは、表面に凹凸が形成され回転ダイヤル部４１を回転動作させやすいように構成される。
【００３９】
機能表示部４１Ｂは、回転ダイヤル部４１における側面であって、該回転ダイヤル部４１が取り付けられた状態で当接部４１Ａよりも幅方向Ｘにおける中央側に配置される部分に形成される。機能表示部４１Ｂには、表面に機能を示す記号又絵であるアイコンＩ（指標）が表示される。機能表示部４１Ｂには、図５に示すように、回転方向に所定角度（例えば、４５度）ごとに機能を示すアイコンＩが表示される。
【００４０】
具体的には、機能表示部４１Ｂには、標準位置としてのニュートラルを示す丸印のアイコンＩａが表示される。また、機能表示部４１Ｂには、４５度（ニュートラルを基準とした場合の回転ａ方向の角度を示す。以下同様である。）の位置に形成されるカメラ機能を示すカメラのアイコンＩｂが表示される。また、機能表示部４１Ｂには、９０度の位置に形成されたメール機能を示す手紙のアイコンＩｃが表示される。また、機能表示部４１Ｂには、１３５度に形成されたカレンダー機能を示すカレンダーのアイコンＩｄが表示される。また、機能表示部４１Ｂには、１８０度の位置に形成されたツール機能を示す工具のアイコンＩｅが表示される。また、機能表示部４１Ｂには、２２５度の位置に形成されたテレビ機能を示すテレビのアイコンＩｆが表示される。また、機能表示部４１Ｂには、２７０度の位置に形成されメモ帳機能を示すペンのアイコンＩｇが表示される。また、機能表示部４１Ｂには、３１５度の位置に形成されアドレス機能を示す手帳のアイコンＩｈが表示される。
【００４１】
機能表示部４１Ｂは、回転操作が加えられた当接部４１Ａの回転にともなって回転される。携帯電話機１が開状態における操作部１１及びディスプレイ２１側に表示されるアイコンＩは、当接部４１Ａによる回転にともなって変更される。更には、連結部４の外面であって携帯電話機１が開状態において操作部１１及びディスプレイ２１側を向く位置に形成される目印４２と幅方向Ｘに並んだ位置である選択位置Ｓに配置されるアイコンＩは、回転ダイヤル部４１の回転にともなって変更される。選択位置Ｓに配置されるアイコンＩは、回転ダイヤル部４１の回転量により決まる。本実施形態において、回転位置は標準位置を基準とした回転量をいう。
【００４２】
ここで、本実施形態において、標準位置とは、機能表示部４１Ｂにおける丸印のアイコンＩａが選択位置Ｓに配置された状態をいう。
【００４３】
回転ダイヤル部４１における連結部４側には、連結部４に形成された不図示の挿通部に挿入される回転軸部４５が形成される。回転ダイヤル部４１における連結部４側の面である裏面４１Ｃには、図６に示すように、円周方向（回転方向）に沿って突起状の位置ポイント４３ａから４３ｈが形成される。位置ポイント４３ａから４３ｈは、円周方向に所定間隔をあけて形成される。位置ポイント４３ａから４３ｈは、円周方向において、各機能を示すアイコンＩ同士の間に形成される。
【００４４】
連結部４には、回転ダイヤル部４１が回転された状態における位置ポイント４３ａから４３ｈの移動軌跡上に舌片４４ａが位置するカウント部４４が配置される。
カウント部４４は、舌片４４ａが回転方向に移動されることで通過した位置ポイント４３ａから４３ｈの数をカウントする。具体的には、舌片４４ａが回転ａ方向に移動した場合においてはカウント数を加算し、回転ｂ方向に移動した場合にはカウント数を減算する。標準位置を基準としたカウント数に応じて、後述する回転量検出部７２（図９参照）により回転ダイヤル部４１における回転量が検出され、その結果、回転位置が特定できる。
【００４５】
回転ダイヤル部４１は、回転軸Ｚがヒンジ機構４の開閉軸と同軸になるよう操作部側筐体２に取り付けられる。回転ダイヤル部４１は、操作部側筐体２における露出部１２０に隣接する位置に取り付けられる。つまり、回転ダイヤル部４１は、露出部１２０に配置された目印４２と隣接して配置される。
【００４６】
更に、回転ダイヤル部４１は、導電性を有する金属製あるいは導電性を有するよう処理された樹脂製の部材により構成される。
回転ダイヤル部４１の内部には、該回転ダイヤル部４１への接触を検出するタッチセンサ２００が配置される。タッチセンサ２００（タッチセンサ検出部７１）は、回転ダイヤル部４１におけるユーザの指の当接による静電容量の変化により該回転ダイヤル部４１への接触を検出する。
【００４７】
タッチセンサ２００（タッチセンサ検出部７１）による回転ダイヤル部４１に対する接触検出は、回転量検出部７２や制御部７４に対するトリガーとされる。
具体的には、タッチセンサ２００により回転ダイヤル部４１への接触が検出された場合、後述する回転量検出部７２（図９参照）は、回転ダイヤル部４１における回転量が検出可能な状態となる。回転量検出部７２は、タッチセンサ２００により接触が検出された状態における回転ダイヤル部４１の回転量を検出する。そして、後述する制御部７４は、回転ダイヤル部４１により検出された回転量に基づいて、複数のアプリケーションのうち一のアプリケーションを起動可能な状態する。
【００４８】
この場合、回転量検出部７２が回転ダイヤル部４１の回転量を検出可能な状態になったこと、及び選択されて起動可能な状態になっているアプリケーションの内容を報知するメニュー画像Ｍがディスプレイ２１に表示される。後述のように、起動可能なアプリケーションの内容を示す画像（文字）を含むメニュー画像Ｍが表示可能に構成される（図１２参照）。
【００４９】
また、タッチセンサ２００（タッチセンサ検出部７１）による回転ダイヤル部４１への接触が検出されなくなった場合、制御部７４は、起動可能となっている一のアプリケーションを起動させる。具体的には、タッチセンサ２００（タッチセンサ検出部７１）による回転ダイヤル部４１への接触が検出されなくなってから所定時間経過後、制御部７４は、接触が検出されなくなった時点で起動可能となっている一のアプリケーションを起動させる。
【００５０】
ここで、回転ダイヤル部４１の操作及び機能について説明する。回転ダイヤル部４１は、図４に示すように、ユーザの指により当接部４１Ａに回転方向（図４中の矢印の回転ａ方向及び矢印の回転ｂ方向）への力が加えられることで回転するように筐体における連結部４に取り付けられる。回転ダイヤル部４１には、上述の通り、回転方向において所定の間隔ごとにアイコンＩ（アイコンＩａからＩｈ）が付されている。アイコンＩは、図５に示すように、アプリケーションを選択する際にユーザにとって理解（イメージ）しやすい記号や絵によって描かれている。
【００５１】
ユーザは、回転ダイヤル部４１における当接部４１Ａに指を置いて、回転ダイヤル部４１を回転させるための準備状態に入る。この場合、回転ダイヤル部４１における静電容量に変化が生じるため、タッチセンサ２００は、回転ダイヤル部４１への接触を検出する。これにより、後述の回転量検出部７２は、回転ダイヤル部４１における回転量を検出可能な状態となる。
【００５２】
そして、ユーザは、アイコンＩを手掛かりとして、所望する機能（アプリケーション）に対応するアイコンＩを選択位置Ｓまで移動させる。これにより、制御部７４は、選択位置Ｓに配置されるアイコンＩに対応する機能を動作させるアプリケーションを起動可能な状態にする。
【００５３】
ユーザは、所望の機能を動作させるアプリケーションに対応したアイコンＩが選択位置Ｓに配置された状態において、当接部４１Ａに置かれていた指を離間させる。当接部４１Ａからユーザの指が離間されてタッチセンサ２００が接触を検出しなくなってから所定時間経過した後、制御部７４は、タッチセンサ２００により接触が検出されなくなった時点で特定される回転位置に基づいて起動可能な状態にある一のアプリケーションを起動させる。このようにして、回転ダイヤル部４１は、物理的な回転ダイヤルの操作により、各種の機能を発揮するメニュー選択を可能とする。
【００５４】
具体的には、回転ダイヤル部４１が、図５に示すように、ユーザの回転操作によって、無操作時（ニュートラル（Ｎ））を基準として、回転ａ方向に４５度（回転ｂ方向に３１５度）±２２．５度回転されることにより、撮像部１７のカメラ機能を動作させるアプリケーションが起動可能な状態となる。そして、ユーザの指が回転ダイヤル部４１から離間して所定時間（例えば、２から３秒間）経過した後、撮像部１７のカメラ機能を動作させるアプリケーションが起動する。
【００５５】
また、ユーザの回転操作によって、回転ダイヤル部４１が回転ａ方向に９０度（回転ｂ方向に２７０度）±２２．５度回転されることにより、メールの機能を動作させるアプリケーションが起動可能な状態となる。そして、ユーザの指が回転ダイヤル部４１から離間して所定時間（例えば、２から３秒間）経過した後、メールの機能を動作させるアプリケーションが起動する。
【００５６】
また、ユーザの回転操作によって、回転ダイヤル部４１が回転ａ方向に１３５度（回転ｂ方向に２２５度）±２２．５度回転されることにより、カレンダー機能を動作させるアプリケーションが起動可能な状態となる。そして、ユーザの指が回転ダイヤル部４１から離間して所定時間（例えば、２から３秒間）経過した後、カレンダー機能を動作させるアプリケーションが起動する。
【００５７】
また、ユーザの回転操作によって、回転ダイヤル部４１が回転ａ方向に１８０度（回転ｂ方向に１８０度）±２２．５度回転されることにより、ツールメニュー（携帯電話機１における音出力等に関する各種の設定を行うメニュー）を動作させるアプリケーションが起動可能な状態となる。そして、ユーザの指が回転ダイヤル部４１から離間して所定時間（例えば、２から３秒間）経過した後、ツールメニュー（携帯電話機１における音出力等に関する各種の設定を行うメニュー）を動作させるアプリケーションが起動する。
【００５８】
また、ユーザの回転操作によって、回転ダイヤル部４１が回転ａ方向に２２５度（回転ｂ方向に１３５度）±２２．５度回転されることにより、テレビ機能を動作させるアプリケーションが起動可能な状態となる。そして、ユーザの指が回転ダイヤル部４１から離間して所定時間（例えば、２から３秒間）経過した後、テレビ機能を動作させるアプリケーションが起動する。
【００５９】
また、ユーザの回転操作によって、回転ダイヤル部４１が回転ａ方向に２７０度（回転ｂ方向に９０度）±２２．５度回転されることにより、メモ帳機能を動作させるアプリケーションが起動可能な状態となる。そして、ユーザの指が回転ダイヤル部４１から離間して所定時間（例えば、２から３秒間）経過した後、メモ帳機能を動作させるアプリケーションが起動する。
【００６０】
また、ユーザの回転操作によって、回転ダイヤル部４１が回転ａ方向に３１５度（回転ｂ方向に４５度）±２２．５度回転されることにより、アドレス帳機能を動作させるアプリケーションが起動可能な状態となる。そして、ユーザの指が回転ダイヤル部４１から離間して所定時間（例えば、２から３秒間）経過した後、アドレス帳機能を動作させるアプリケーションが起動する。
【００６１】
ここで、本実施形態において、携帯電話機１が閉状態において、開状態の場合に比べて起動可能にできるアプリケーションが制限されるよう構成してもよい。具体的には、携帯電話機１は、開状態において起動可能にできるアプリケーションのうち限定された１又は複数のアプリケーションだけ起動可能にできるよう構成される。ここで、回転ダイヤル部４１は、例えば、閉状態において起動可能なアプリケーションに対応する回転位置への回転が制限されるように構成してもよい。
【００６２】
このように閉状態において起動するアプリケーションを規制する方法には二通りが考えられる。
第１に、構造的に規制する場合である。
閉状態時には回転ダイヤル部４１の回転可能範囲を制限するように構成し、回転ダイヤル部４１へのアイコンＩ（指標）の割り当てにおいて、規制対象とするアプリケーションプログラムに対応するアイコンＩを制限される回転位置に割り当てればよい。そして、開状態から閉状態に遷移した際には、ヒンジ部内の図示しないカムの移動等により、回転ダイヤル部４１の回転が規制されれば、ユーザは規制対象となるアプリケーションプログラムのアイコンへ回転させることが出来なくなる。これにより、閉状態でのアプリケーションプログラムの一部規制が可能である。
【００６３】
また、第２に、ソフト的に規制する場合である。
閉状態時に起動可能／起動規制をアプリケーションプログラムごとに把握する規制テーブルを予め記憶部１００に保存しておく。そして、閉状態に回転ダイヤル部４１の回転を検出すると、制御部７４は、特定された回転位置のアプリケーションプログラムが起動可能なものかどうか、規制テーブルを参照して特定する。規制対象ならば、アプリケーションプログラムを起動せず、回転発生前の状態を維持し、起動可能であれば対応アプリケーションプログラムを起動する。これにより、閉状態でのアプリケーションプログラムの一部規制が可能である。これら、規制するアプリケーションプログラムの対象としては、閉状態では使用しない、使用に適していないツールメニューや、インターネット接続等が好ましい。
【００６４】
目印４２は、操作部側筐体２の一部であって連結部４を構成する部分に形成される。具体的には、目印４２は、連結部４における露出部１２０に形成される。目印４２は、携帯電話機１が開状態においても、閉状態においても外部から視認可能に露出される。つまり、開状態でも閉状態でも露出する位置に複数の指標（アイコンＩ）のいずれかを指し示す目印４２が配されている。
【００６５】
また、回転ダイヤル部４１も同様に、開状態においても、閉状態においても外部から視認可能に露出される。これにより、ユーザは、開状態及び閉状態において、外部から目印４２及び目印４２と並んで選択位置Ｓに配置されるアイコンＩを視認することができる。また、ユーザは、開状態及び閉状態において、外部から目印４２及び目印４２と並んで選択位置Ｓに配置されるアイコンＩを見ながら機能を変更することができる。
【００６６】
次いで、図８及び図９により、携帯電話機１における機能的な構成について説明する。
図８は、携帯電話機１の機能を示す機能ブロック図である。図９は、処理部７０における機能ブロック図である。
携帯電話機１は、図８に示すように、所定の情報を表示するディスプレイ２１と、所定の情報を表示するサブディスプレイ２３と、ユーザの操作により回転される回転ダイヤル部４１と、タッチセンサ２００と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、記憶部１００と、を備える。
【００６７】
通信部６０は、所定の使用周波数帯により外部装置と通信を行うメインアンテナ６１と、変調処理又は復調処理等の信号処理を行う通信処理部６２と、を備える。
【００６８】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ６１は、所定の使用周波数帯の他に、第２の使用周波数帯（例えば、２ＧＨｚ）に対応できる、いわゆるデュアルバンド対応型による構成であってもよいし、更に、第３の使用周波数帯以上にも対応できる複数バンド対応型により構成されていてもよい。
【００６９】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００７０】
電源回路部９０は、充電池８０から供給される電源電圧を所定の電圧値に変圧し、変圧後の電源電圧を通信部６０や処理部７０等に供給する。
【００７１】
記憶部１００は、処理部７０にて実行される多数のプログラム及びパラメータや各種テーブル等が記憶される。具体的には、記憶部１００は、制御部７４にて起動、終了、中断等がなされる多数のアプリケーションプログラムや、これら複数のアプリケーションにて使用されるパラメータ、複数のアプリケーションプログラムを動作させるためのＯＳプログラムの他、回転量検出部７２にて検出される回転量（カウント数）と複数のアプリケーションとの対応関係（図５参照）を示すテーブル１１０を記憶している。
なお、複数のアプリケーションプログラムには、基準アプリケーション、ミュージック・プレーヤー、カメラ、メール等の携帯電話機１が有するアプリケーションごとのアプリケーションプログラムが含まれる。
【００７２】
処理部７０は、回転ダイヤル部４１から供給される回転量に応じて各種機能に対する起動処理を行う。
ここで、処理部７０の構成と動作について説明する。処理部７０は、図９に示すように、回転ダイヤル部４１へ導電体（例えば、ユーザの指）が接触したことを検出するタッチセンサ検出部７１と、回転ダイヤル部４１の回転量を検出する回転量検出部７２と、携帯電話機１における開閉状態を検出する開閉検出部７３と、回転量検出部７２により検出された回転量に応じた機能を動作させる所定のアプリケーションを起動し、当該起動した所定のアプリケーションに対応する表示画面をディスプレイ２１又はサブディスプレイ２３に表示するよう制御する制御部７４と、を備える。
【００７３】
タッチセンサ検出部７１は、回転ダイヤル部４１の内部に配置されるタッチセンサ２００により検出される静電容量の変化により、回転ダイヤル部４１に所定の導電体が接触しているかを検出する。タッチセンサ２００により検出される静電容量の変化に基づいて所定の導電体が回転ダイヤル部４１に接触していることを検出した場合、タッチセンサ検出部７１は、回転量検出部７２及び制御部７４に検出信号を出力する。
【００７４】
回転量検出部７２は、タッチセンサ検出部７１から検出信号を受信することで、回転ダイヤル部４１における回転量を検出可能な状態になる。
回転量検出部７２は、上述の通り、カウント部４４にカウントされた位置ポイント４３ａから４３ｈの数により回転ダイヤル部４１における回転量を検出する。例えば、回転ａ方向を＋とした場合において、カウント部４４における位置ポイントのカウント数が「＋１」である場合、回転量検出部７２は、回転量を２２．５度から６７．５度であることを検出する。そして、回転量検出部７２は、一定時間（例えば、１から２秒）カウント部４４における位置ポイントのカウント数が変化しない場合、当該回転量を制御部７４に通知する。そして、これにより、回転位置を特定する。
【００７５】
ここで、回転量検出部７２は、タッチセンサ検出部７１からの検出信号が受信されなくなるまで、回転ダイヤル部４１における回転量を検出可能な状態で維持される。
【００７６】
開閉検出部７３は、上述の開閉センサ３００から出力される信号に基づいて、携帯電話機１が開状態であるか又は閉状態であるかを検出する。開閉検出部７３は、携帯電話機１が閉状態であることを検出した場合には、制御部７４に検出信号を出力する。
【００７７】
制御部７４は、タッチセンサ検出部７１から検出信号を受信することで、複数のアプリケーションのうち、回転量検出部７２により検出された回転量に応じた一のアプリケーションを起動可能な状態にする。
【００７８】
また、制御部７４は、ユーザが回転ダイヤル部４１から指を離間させてから所定時間経過後、起動可能な状態にあるアプリケーションを起動させる。具体的には、制御部７４は、タッチセンサ検出部７１からの検出信号が受信されなくなって所定時間経過後、検出信号が受信されなくなった時点で回転量検出部７２により検出された回転量に対応して起動可能な状態になっているアプリケーションを起動させる。制御部７４は、回転量検出部７２により回転量が検出されると、複数の指標（アイコンＩ）のうち、目印４２によりさし示される指標（アイコンＩ）に対応する所定のアプリケーションを起動させる。
【００７９】
また、制御部７４は、タッチセンサ検出部７１が静電容量の変化により回転ダイヤル部４１に導電体が接触したことを検出した場合、起動可能な状態にあるアプリケーションを示す画像を含むメニュー画像Ｍ（画面）をディスプレイ２１に表示される。具体的には、制御部７４は、タッチセンサ検出部７１から検出信号を受信することで、回転量検出部７２により検出された回転量に基づいて起動可能な状態にあるアプリケーションを示す画像を含むメニュー画像Ｍをディスプレイ２１に表示される（図１１参照）。
【００８０】
ここで、メニュー画像Ｍは、回転量検出部７２が回転ダイヤル部４１における回転量を検出可能な状態になったことを示す機能も有する。つまり、ディスプレイ２１にメニュー画像Ｍが表示されることで、ユーザは、回転ダイヤル部４１によるアプリケーション選択が可能な状態になったことを知ることができる。
【００８１】
制御部７４は、回転ダイヤル部４１の回転が生じる都度、記憶部１００のアプリケーション対応関係のテーブル１１０を参照し、回転量（カウント数）に応じたアプリケーションを特定する。
制御部７４は、携帯電話機１が電源ＯＮされると、まずＯＳプログラムを立ち上げ、ＯＳ管理下で基準アプリケーションプログラムを起動することでディスプレイ２１に待受画面を表示可能としている。その後、起動すべきアプリケーションが発生する都度、ＯＳ管理下で基準アプリケーションプログラムを終了あるいは中断して新たなアプリケーションプログラムを起動する。この処理により、制御部７４は、ディスプレイ２１上に、待受画面に代えて新たに起動したアプリケーションに基づく画面を表示させる。
なお、入力操作ボタン１４に含まれる終話キー（オンフックキー）が操作されると、ＯＳの管理下において実行していたアプリケーションを終了させてから基準アプリケーションプログラムを再起動する。そして制御部７４は、終了したアプリケーションの画面から待受画面へ表示を遷移させる。
【００８２】
具体的には、図４に示すように、カメラ機能を示すアイコンＩが目印４２の横（選択位置Ｓ）に配置されるよう回転ダイヤル部４１を回転移動させた後、回転ダイヤル部４１から指を離間させる。そして、回転ダイヤル部４１から指を離間させて所定時間経過後、制御部７４は、例えば、テーブル１１０を参照し、当該回転量（２２．５度から６７．５度）に割り当てられたカメラ機能を動作させるアプリケーションを起動すると共に、撮像部１７を起動する。
【００８３】
また、制御部７４は、カメラ機能を動作させるアプリケーションに基づく画像をディスプレイ２１に表示させる。具体的には、ディスプレイ２１には、撮像部１７を介して撮像可能な被写体の画像が表示される。
【００８４】
制御部７４は、回転量検出部７２により所定の回転量が検出された後、一定時間（例えば、１から２秒）内にカウント部４４における位置ポイントのカウント数が変化した場合、回転ダイヤル部４１が回転される前に起動していたアプリケーションの起動状態を維持する。
【００８５】
また、制御部７４は、回転量検出部７２によりカウントされた位置ポイント４３ａから４３ｈの数が結果的に「０」になった場合、回転ダイヤル部４１が回転される前に動作しているアプリケーションの起動状態を維持する。
【００８６】
ここで、制御部７４は、携帯電話機１が閉状態の場合、開状態の場合に比べて起動可能なアプリケーションが制限される。具体的には、制御部７４は、開状態において起動可能なアプリケーションのうち限定された１又は複数のアプリケーションだけ起動可能とすることができる。つまり、制御部７４は、開閉検出部７３から検出信号を受信した場合、開状態で起動できるアプリケーションのうち、限定された１又は複数のアプリケーションだけを起動させることができる。例えば、閉状態において、ユーザによる操作ができない機能等は制限される。
【００８７】
また、制御部７４は、携帯電話機１が開状態の場合には起動されたアプリケーションに基づく画像をディスプレイ２１に出力させると共に、携帯電話機１が閉状態の場合には起動されたアプリケーションに基づく画像をサブディスプレイ２３に表示させる。制御部７４は、上述のメニュー画像Ｍも同様に開閉状態に応じてディスプレイ２１又はサブディスプレイ２３に表示させる。ここで、サブディスプレイ２３に表示されるメニュー画像Ｍ１は、閉状態で起動可能なアプリケーション（機能）を示す画像（文字を含む）だけを含んで構成される。
【００８８】
続けて、図１０から図１２により、本実施形態における携帯電話機１の動作について説明する。
図１０は、携帯電話機１の動作を説明するフローチャートである。図１１は、開状態におけるメニュー画像Ｍを説明する図である。図１２は、閉状態におけるメニュー画像Ｍ１を説明する図である。
【００８９】
ユーザは、回転ダイヤル部４１を回転するため回転ダイヤル部４１における当接部４１Ａに指を置く（ＳＴ１）。タッチセンサ２００により回転ダイヤル部４１における静電容量の変化が検出される。これにより、タッチセンサ検出部７１は、回転ダイヤル部４１に導電体としての指が接触したことを検出する。そして、タッチセンサ検出部７１は、回転量検出部７２及び制御部７４に検出信号を出力する。回転量検出部７２は、検出信号を受信することで、回転ダイヤル部４１における回転量を検出可能な状態になる。
【００９０】
開閉検出部７３は、携帯電話機１が開状態であるか、又は、閉状態であるかを検出する。そして、携帯電話機１が開状態である場合（ＳＴ２）、制御部７４は、図１１に示すように、開状態において起動可能なアプリケーションを示す画像を含むメニュー画像Ｍをディスプレイ２１に表示させる（ＳＴ３）。ディスプレイ２１にメニュー画像Ｍが表示されることで、携帯電話機１は、回転ダイヤル部４１により機能（アプリケーション）が選択可能になったことをユーザに報知すると共に、機能を選択する際の指標としてユーザの選択動作を補助する。
【００９１】
ユーザは、開状態において露出される目印４２を選択位置Ｓの目印として、選択位置Ｓに所定の機能を示すアイコンＩが配置されるよう回転ダイヤル部４１を回転移動させる（ＳＴ４）。
【００９２】
回転ダイヤル部４１の回転量を検出可能な状態にある回転量検出部７２は、ユーザにより回転された回転ダイヤル部４１における回転量を検出する（ＳＴ５）。ディスプレイ２１に表示されるメニュー画像Ｍは、回転ダイヤル部４１における回転量に対応して表示内容が変更される。
【００９３】
ディスプレイ２１に表示されたメニュー画像Ｍを見ながら所望のアプリケーションを選択した後、ユーザは、回転ダイヤル部４１から指を離間させると、タッチセンサ２００により、静電容量の変化を更に検知する（ＳＴ６）。回転ダイヤル部４１から指が離間して（すなわち静電容量の変化が生じてから）所定時間経過した後（ＳＴ７）、制御部７４は、選択位置Ｓに配置されたアイコンＩに対応するアプリケーションを起動させる（ＳＴ８）。具体的には、制御部７４は、回転量検出部７２により検出された回転量により特定される回転位置に対応して割り当てられた機能を動作させるアプリケーションを起動させる。
【００９４】
回転ダイヤル部４１から指が離間されてから所定時間経過前に再度回転ダイヤル部４１にユーザの指が配置された場合（ＳＴ８）、制御部７４は、一のアプリケーションを起動させない（ＳＴ１）。
【００９５】
制御部７４は、起動されるアプリケーションに基づく画像をディスプレイ２１に表示させる（ＳＴ９）。制御部７４は、図１１における状態で回転ダイヤル部４１から指を離間させた場合、カメラ機能を動作させるアプリケーションを起動させる。そして、制御部７４は、起動させたアプリケーションに基づく画像をディスプレイ２１に表示させる。例えば、カメラ機能を動作させるアプリケーションに基づく画像として、撮像部１７を介して撮像可能な被写体の画像をディスプレイ２１に表示することができる。
【００９６】
続けて、ユーザは、機能終了キー（例えば、終話キー、オンフックキー）を押下して起動されたアプリケーションを終了させる（ＳＴ１１）。
機能終了キーが押下され起動されていたアプリケーションが終了された場合、例えば、カメラ機能に関する表示が終了され、ディスプレイ２１には、トップ画面としての通信・通話の待受画面が表示される（ＳＴ１１）。
【００９７】
また、携帯電話機１が開状態ではない（閉状態）場合（ＳＴ２）、制御部７４は、図１２に示すように、閉状態において起動可能なアプリケーションを示す画像を含むメニュー画像Ｍ１をサブディスプレイ２３に表示させる（ＳＴ１２）。サブディスプレイ２３にメニュー画像Ｍ１が表示されることで、携帯電話機１は、回転ダイヤル部４１により機能（アプリケーション）が選択可能になったことをユーザに報知すると共に、機能を選択する際の指標としてユーザの選択動作を補助する。また、携帯電話機１は、閉状態において選択可能なアプリケーション（機能）を報知することができる。
【００９８】
ユーザは、閉状態において露出される目印４２を選択位置Ｓの目印として、選択位置Ｓに所定の機能を示すアイコンＩが配置されるよう回転ダイヤル部４１を回転移動させる（ＳＴ１３）。
【００９９】
回転ダイヤル部４１の回転量を検出可能な状態にある回転量検出部７２は、ユーザにより回転された回転ダイヤル部４１における回転量を検出する（ＳＴ１４）。サブディスプレイ２３に表示されるメニュー画像Ｍ１は、回転ダイヤル部４１における回転量に対応して表示内容が変更される。
【０１００】
サブディスプレイ２３に表示されたメニュー画像Ｍを見ながら所望のアプリケーションを選択した後、ユーザは、回転ダイヤル部４１から指を離間させると、タッチセンサ２００により、静電容量の変化を更に検知する（ＳＴ１５）。回転ダイヤル部４１から指が離間して（すなわち静電容量の変化が生じてから）所定時間経過した後（ＳＴ１６）、制御部７４は、選択位置Ｓに配置されたアイコンＩに対応するアプリケーションを起動させる（ＳＴ１７）。具体的には、制御部７４は、回転量検出部７２により検出された回転量により特定される回転位置に対応して割り当てられた機能を動作させるアプリケーションを起動させる。
【０１０１】
回転ダイヤル部４１から指が離間されてから所定時間経過前に再度回転ダイヤル部４１にユーザの指が配置された場合（ＳＴ１６）、制御部７４は、一のアプリケーションを起動させない（ＳＴ１）。
【０１０２】
制御部７４は、起動されるアプリケーションに基づく画像をサブディスプレイ２３に表示させる（ＳＴ１８）。制御部７４は、図１２における状態で回転ダイヤル部４１から指を離間させた場合、カメラ機能を動作させるアプリケーションを起動させる。そして、制御部７４は、起動させたアプリケーションに基づく画像をサブディスプレイ２３に表示させる。例えば、カメラ機能を動作させるアプリケーションに基づく画像として、撮像部１７を介して撮像可能な被写体の画像をサブディスプレイ２３に表示することができる。
【０１０３】
続けて、ユーザは、閉状態時に露出するサイドキー等に割り当てられた機能終了キーを押下して起動されたアプリケーションを終了させる（ＳＴ１９）。
機能終了キーが押下され起動されていたアプリケーションが終了された場合、例えば、カメラ機能に関する表示が終了され、サブディスプレイ２３には、トップ画面としての通信・通話の待ち受けの画面が表示される（ＳＴ２０）。
【０１０４】
本実施形態によれば、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【０１０５】
また、本実施形態によれば、開状態及び閉状態の双方において外部に露出する位置に目印４２を形成したので、開状態及び閉状態の双方において、目印４２を目印として回転ダイヤル部４１を回転させることができる。具体的には、開状態及び閉状態の双方において、目印４２を選択位置の目印として回転ダイヤル部４１を回転させることができる。これにより、使用性が向上された携帯電話機１を提供することができる。
【０１０６】
また、本実施形態によれば、閉状態において制限されるアプリケーションを目印４２及びサブディスプレイ２３に表示されるメニュー画像Ｍ１に基づいて選択することができる。これにより、ユーザは、閉状態で起動可能なアプリケーションを認識しながら所望のアプリケーションを選択することができる。また、これにより、閉状態で起動可能なアプリケーションを閉状態で好適に選択することができる。
【０１０７】
以上、好適な実施形態について説明したが、本発明は上述した実施形態に限定されることなく種々の形態で実施することができる。例えば、本実施形態において、携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）ナビゲーション装置等であってもよい。
【０１０８】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【０１０９】
また、本実施形態において、回転ダイヤル部４１は、ヒンジ機構４Ａにおける開閉軸と略同軸の回転軸Ｚを中心に回転可能に構成されるが、これに限定されず、ユーザの操作によって回転自在な構成であればよい。例えば、回転ダイヤル部４１は、回転軸Ｚと直交する所定の回転軸を中心に回転可能に構成してもよい。
【０１１０】
また、本実施形態において、回転ダイヤル部４１により選択可能な機能は上述の通りであるが、これに限定されず、例えば、ユーザ自身が頻繁に使用するメニューを登録可能な構成であってもよいし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であってもよい。また、メニューの数も上述した数（７つ）に限定されるものではない。
【０１１１】
また、本実施形態において、回転量検出部７２は、カウント部４４によりカウントされた位置ポイントの数に基づいて回転量を検出しているが、これに限定されず、所定のセンサにより回転ダイヤル部４１の回転角度の変化量を回転量として検出してもよい。また、回転量検出部７２は、例えば、抵抗率の変化等により回転量を検出して回転位置を特定する構成にしてもよい。
【０１１２】
また、本実施形態において、目印４２は、操作部側筐体２に形成されているが、これに限定されず、図１３及び図１４に示すように、表示部側筐体３に形成されていてもよい。
具体的には、図１３及び図１４に示すように、目印としての第１目印４２Ａ及び第２目印４２Ｂは、表示部側筐体３の一部であって連結部４を構成する部分に形成される。詳細には、第１目印としての第１目印４２Ａは、図１３に示すように、表示部側筐体３部における連結部４を構成する部分であって、開状態において外部に露出される第１露出部１２０Ａに形成される。また、第２目印としての第２目印４２Ｂは、図１４に示すように、表示部側筐体３における連結部４を構成する部分であって、閉状態において外部に露出される第２露出部１２０Ｂに形成される。つまり、開状態においては、第１目印４２Ａが所定位置に配置され、閉状態においては、第２目印４２Ｂが所定位置に配置されるように構成される。
【０１１３】
この場合、回転ダイヤル部４１は、操作部側筐体２における連結部４を構成する部分挟んで第１露出部１２０Ａ及び第２露出部１２０Ｂと対向する位置に取り付けられる。言い換えると、回転ダイヤル部４１は、操作部側筐体２における連結部４を構成する部分挟んで第１目印４２Ａ及び第２目印４２Ｂと対向する位置に取り付けられる。
【０１１４】
ここで、閉状態において全てのアプリケーションが起動されない場合、図１５に示すように、開状態では目印４２Ａに並んで配置されているアイコンＩが、閉状態では目印４２Ｂに並ばない（ずれて）ように配置されるよう、目印４２Ｂが形成される位置を調整してもよい。
【図面の簡単な説明】
【０１１５】
【図１】携帯電話機の外観を示す図である。
【図２】携帯電話機の閉状態における表示部側筐体から見たときの外観を示す図である。
【図３】携帯電話機の閉状態における操作部側筐体から見たときの外観を示す図である。
【図４】回転ダイヤル部付近を拡大したときの図である。
【図５】回転ダイヤル部の機能についての説明に供する図である。
【図６】回転ダイヤル部における裏面から見た平面図である。
【図７】回転ダイヤル部に形成された位置ポイントとカウント部との関係を説明する図である。
【図８】携帯電話機の機能を示す機能ブロック図である。
【図９】処理部における機能ブロック図である。
【図１０】携帯電話機の動作を説明するフローチャートである。
【図１１】開状態においてディスプレイに表示されるメニュー画像Ｍを説明する図である。
【図１２】閉状態においてサブディスプレイに表示されるメニュー画像Ｍ１を説明する図である。
【図１３】他の実施形態における携帯電話機の外観を示す図である。
【図１４】他の実施形態における携帯電話機の閉状態における表示部側筐体から見たときの外観を示す図である。
【図１５】他の実施形態における携帯電話機の閉状態における表示部側筐体から見たときの外観を示す図である。
【符号の説明】
【０１１６】
１      携帯電話機
２      操作部側筐体
３      表示部側筐体
４      連結部
４Ａ    ヒンジ機構
１１    操作部
２１    ディスプレイ
２３    サブディスプレイ
４１    回転ダイヤル部
４１Ａ  当接部
４１Ｂ  機能表示部
４２    目印
７０    処理部
７１    タッチセンサ検出部
７２    回転量検出部
７３    開閉検出部
７４    制御部
１００  記憶部
１２０  露出部
２００  タッチセンサ
３００  開閉センサ
Ｍ      メニュー画像
Ｍ１    メニュー画像
【図１】
0004709250.tif 000002
【図２】
0004709250.tif 000003
【図３】
0004709250.tif 000004
【図４】
0004709250.tif 000005
【図５】
0004709250.tif 000006
【図６】
0004709250.tif 000007
【図７】
0004709250.tif 000008
【図８】
0004709250.tif 000009
【図９】
0004709250.tif 000010
【図１０】
0004709250.tif 000011
【図１１】
0004709250.tif 000012
【図１２】
0004709250.tif 000013
【図１３】
0004709250.tif 000014
【図１４】
0004709250.tif 000015
【図１５】
0004709250.tif 000016